(57)【要約】【課題】外観を損なうことのない照明器具用ルーバを提供する。【解決手段】第一の側板１０と第二の側板１１とを有し長手方向と直交する断面が略Ｖ字状の長尺のバッフル支持体１と、第一の側板１０及び第二の側板１１に各々形成されて各側板１０，１１の短手方向に平行な直線状の複数の切り溝３と、各切り溝３にそれぞれ挿入されて各側板１０，１１の長手方向に交差する形で配列される複数枚のバッフル板２とを備え、切り溝３は、バッフル支持体１の頂部１２よりも上側に形成され、バッフル板２は、第一の側板１０及び第二の側板１１にかしめ固定するためのかしめ片２０を備え、バッフル支持体１の左右両側から交互に挿入されてかしめ固定される。【選択図】図１
2008041569.tif 000002
【特許請求の範囲】
【請求項１】
第一の側板と第二の側板とを有し長手方向と直交する断面が略Ｖ字状の長尺のバッフル支持体と、第一の側板及び第二の側板に各々形成された複数の切り溝と、各切り溝にそれぞれ挿入されて各側板の長手方向に交差する形で配列される複数枚のバッフル板とを備え、バッフル支持体の断面略Ｖ字状の頂部が照明器具のランプと対向し且つ鉛直下方に位置するように照明器具に取り付けられる照明器具用ルーバにおいて、切り溝は、バッフル支持体の断面略Ｖ字状の頂部よりもランプ側に形成され、バッフル板は、第一の側板及び第二の側板にかしめ固定するためのかしめ片を備え、長手方向の一端が第一の側板の切り溝に挿入され且つ他端が第二の側板の切り溝に挿入されてかしめ固定されることを特徴とする照明器具用ルーバ。
【請求項２】
前記バッフル板は、第一の側板及び第二の側板の何れか一方の側板の外側に当接するストッパーを備え、第一の側板に当接するストッパーの数と第二の側板と当接するストッパーの数とが均等になるように配設されることを特徴とする請求項１記載の照明器具用ルーバ。
【請求項３】
前記バッフル板は、自身のストッパーが隣り合う他のバッフル板のストッパーの反対側に位置するように配設されることを特徴とする請求項２記載の照明器具用ルーバ。
【発明の詳細な説明】
【技術分野】
【０００１】
本発明は、照明器具に設けたランプに近接してランプに対して照明空間側に配置される照明器具用ルーバに関するものである。
【背景技術】
【０００２】
従来から、天井取付型の照明器具においては、グレアを制限するために照明器具用ルーバが用いられている。例えば特許文献１に開示されている照明器具用ルーバは、図４に示すように、頂部１０１を支点として一対の側板部１０２が断面略Ｖ字状に折曲して形成されたバッフル支持体１００と、バッフル支持体１００に対して直交配置される複数の横長板状のバッフル板１０３とから構成される。バッフル支持体１００の両側板部１０２の頂部１０１側には、バッフル板１０３を挿入可能とする幅に形成された直線状のスリット１０４がバッフル支持体１００の長手方向に亘って等間隔に設けられており、該スリット１０４にバッフル板１０３を挿入することでバッフル板１０３がバッフル支持体１００に取り付けられる。
【特許文献１】特開平５−２４２７１１号公報
【発明の開示】
【発明が解決しようとする課題】
【０００３】
しかしながら、上記従来例では、バッフル板１０３の下端縁がバッフル支持体１００の頂部１０１よりも下方に位置するため、下側から照明器具用ルーバを見た時にバッフル板１０３がバッフル支持体１００の頂部１０１を覆って目立つために見栄えがよくないという問題があった。
【０００４】
本発明は、上記の点に鑑みて為されたもので、外観を損なうことのない照明器具用ルーバを提供することを目的とする。
【課題を解決するための手段】
【０００５】
請求項１の発明は、上記目的を達成するために、第一の側板と第二の側板とを有し長手方向と直交する断面が略Ｖ字状の長尺のバッフル支持体と、第一の側板及び第二の側板に各々形成された複数の切り溝と、各切り溝にそれぞれ挿入されて各側板の長手方向に交差する形で配列される複数枚のバッフル板とを備え、バッフル支持体の断面略Ｖ字状の頂部が照明器具のランプと対向し且つ鉛直下方に位置するように照明器具に取り付けられる照明器具用ルーバにおいて、切り溝は、バッフル支持体の断面略Ｖ字状の頂部よりもランプ側に形成され、バッフル板は、第一の側板及び第二の側板にかしめ固定するためのかしめ片を備え、長手方向の一端が第一の側板の切り溝に挿入され且つ他端が第二の側板の切り溝に挿入されてかしめ固定されることを特徴とする。
【０００６】
請求項２の発明は、請求項１の発明において、バッフル板は、第一の側板及び第二の側板の何れか一方の側板の外側に当接するストッパーを備え、第一の側板に当接するストッパーの数と第二の側板と当接するストッパーの数とが均等になるように配設されることを特徴とする。
【０００７】
請求項３の発明は、請求項２の発明において、バッフル板は、自身のストッパーが隣り合う他のバッフル板のストッパーの反対側に位置するように配設されることを特徴とする。
【発明の効果】
【０００８】
請求項１の発明によれば、バッフル支持体の断面略Ｖ字状の頂部よりもランプ側に切り溝を形成し、該切り溝にバッフル板を挿入して固定しているので、照明器具用ルーバを下側から見た時に、バッフル板がバッフル支持体の頂部に対して浮いているような外観となるため見栄えをよくすることができる。
【０００９】
請求項２の発明によれば、ストッパーで第一の側板及び第二の側板を外側から均等に押さえることができるので、バッフル支持体が弾性力によって外側に開くのを防止することができる。
【００１０】
請求項３の発明によれば、ストッパーが第一の側板の外側及び第二の側板の外側に交互に配設されるので、バッフル支持体が弾性力によって外側に開くのを効率よく防止することができる。
【発明を実施するための最良の形態】
【００１１】
以下、本発明の実施形態について図面を用いて説明する。但し、以下の説明では、図１（ｂ）における上下左右を上下左右方向、紙面の手前を前方向、紙面の奥を後方向と定める。本実施形態は、図１（ａ）に示すように、左右方向における断面形状が略Ｖ字状の長尺のバッフル支持体１と、バッフル支持体１の長手方向と直交する形で配列される複数枚（図示例では１５枚）のバッフル板２とを備え、各バッフル板２はバッフル支持体１に設けられた複数（図示例では１５箇所）の直線状の切り溝３に各々挿入されている。
【００１２】
バッフル支持体１は、図１（ａ）に示すように、一枚の略矩形状の平板の短手方向における略中央を支点として左右方向における断面形状が略Ｖ字状となるように折曲して形成され、該平板の右半分の第一の側板１０と、左半分の第二の側板１１と、両側板１０，１１それぞれの下縁であって略Ｖ字状の頂点に当たる頂部１２とを有する。また、両側板１０，１１それぞれの長手方向における両端には、略矩形状の突片１３がそれぞれ外側に向けて突設されている。
【００１３】
切り溝３は、図１（ａ）に示すように、第一の側板１０及び第二の側板１１それぞれの長手方向に亘って等間隔に設けられ、バッフル板２の板厚と略同じでバッフル板２を挿入可能とする幅に形成されている。また、切り溝３は、その長手方向が両側板１０，１１の短手方向と平行であり、両側板１０，１１の左右方向において対向する切り溝３は、これら切り溝３を同一平面上に含む断面が左右方向と平行となるように形成されている。さらに、各切り溝３の上端部は両側板１０，１１の上縁よりも下側、下端部は頂部１２よりも上側に位置するようになっている。
【００１４】
バッフル板２は、図２（ａ）に示すように、下縁を円弧状とした略矩形状に形成され、長手方向の中央部上縁には下方向に窪んだ凹部２３が形成される。凹部２３の内側縁の上部には、一対のかしめ片２０が突設されており、バッフル板２を切り溝３に挿入した状態で該かしめ片２０を両側板１０，１１それぞれの内面に当接するように折曲する（かしめる）ことで、バッフル板２をバッフル支持体１にかしめ固定することができる。凹部２３の下側直近には吊下げ孔２４が貫設されており、後述する器具本体４に本実施形態の照明器具用ルーバを取り付けた際に、該吊下げ孔２４に器具本体４から引き出された吊り紐（図示せず）を引掛けて、ランプ５を交換するなどの際に器具本体４から外した照明器具用ルーバを吊下げ支持した状態で作業を行えるようになっている。
【００１５】
凹部２３のかしめ片２０が突設される部位、例えば図２（ａ）の右側のバッフル板２で説明すると右側のかしめ片２０の根元には、ストッパー２１が上方に僅かに突出して形成されており、該バッフル板２を切り溝３に右側から挿入する際に、該ストッパー２１が第一の側板１０の外面に当接するようになっている（図１（ｂ）参照）。ここで、本実施形態のバッフル板２は全て同一であり、バッフル板２をバッフル支持体１に挿入する際には、その挿入方向に応じてバッフル板２の表裏を切り替えて挿入している。即ち、図２（ａ）に示すように、右側のバッフル板２を前から見て表側とすると、左側のバッフル板２は前から見て裏側となっている。したがって、左側のバッフル板２では、ストッパー２１は左側のかしめ片２０の根元に位置することになり、該バッフル板２を切り溝３に左側から挿入することで、該ストッパー２１が第二の側板１１の外面に当接するようになっている（図１（ｂ）参照）。
【００１６】
バッフル板２の長手方向の中央部下縁には、略矩形状の支持片２２が下方向に突設されており、バッフル板２を切り溝３に挿入する際に、該支持片２２の左右両端部が両側板１０，１１の内面に当接することで、かしめ片２０と併せてバッフル板２をバッフル支持体１に固定している（図１（ｂ）参照）。
【００１７】
支持片２２と凹部２３との間には、略五角形状の指示孔２５が貫設されており、バッフル板２の表側から見ると左方向を指す矢印となっている（図１（ｂ）参照）。該指示孔２５をバッフル板２の裏側から見ると、図２（ａ）の左側のバッフル板２に示すように、右方向を指す矢印となる。即ち、該指示孔２５を見ることでバッフル板２の挿入方向を容易に確認することができる。また、指示孔２５の左上及び右上の部位には、それぞれ略円形状の丸孔２６が貫設されており、バッフル板２をバッフル支持体１に挿入する際に、両側板１０，１１と該丸孔２６とを合わせることでバッフル支持体１の位置を調整することができる。
【００１８】
以下、バッフル板２のバッフル支持体１への取付方法を図２を用いて説明する。まず、図２（ａ）に示すように、一番手前にあるバッフル板２を前から見て表側となるようにしてバッフル支持体１の右側から第一の側板１０の切り溝３、第二の側板１１の切り溝３の順で挿入し、ストッパー２１が第一の側板１０の外面に当接するまで挿入した後に、かしめ片２０を折曲することで該バッフル板２をバッフル支持体１にかしめ固定する。
【００１９】
次に、上記のバッフル板２の後側にあるバッフル板２を前から見て裏側となるようにしてバッフル支持体１の左側から第二の側板１１の切り溝３、第一の側板１０の切り溝３の順で挿入し（図２（ｂ）参照）、ストッパー２１が第二の側板１１の外面に当接するまで挿入した後に、かしめ片２０を折曲することで該バッフル板２をバッフル支持体１にかしめ固定する。以下、同様に前から見て表側のバッフル板２と、前から見て裏側のバッフル板２とを交互に切り溝３に挿入し、バッフル支持体１にかしめ固定することで本実施形態が完成する。
【００２０】
ここで、本実施形態を取り付けた照明器具の一例を図３を用いて説明する。この照明器具は、図３（ａ）に示すように、下面を開口した箱形の器具本体４と、器具本体４の長手方向における両端部にそれぞれ２つずつ並設されて直管形の蛍光ランプ５が装着されるソケット５ａと、ソケット５ａを介して蛍光ランプ５に電力を供給する安定器（図示せず）とから成り、該ソケット５ａに２本（図示では１本）の直管形の蛍光ランプ５が装着される。これら蛍光ランプ５の間に両側板１０，１１の上縁部を配置し、頂部１２が下方に位置するようにして本実施形態の照明器具用ルーバが取り付けられる（図３（ｂ）参照）。尚、照明器具用ルーバの器具本体４への取付けは、両側板１０，１１の突片１３を器具本体４の長手方向における両端部に設けられた取付溝（図示せず）に差し込むことで行う。
【００２１】
上述のように、両側板１０，１１の切り溝３が、その下端部がバッフル支持体１の頂部１２よりも上側となるように形成され、バッフル板２を左右方向から切り溝３に挿入してバッフル支持体１にかしめ固定するようにしたので、下側から見た時に、バッフル板２がバッフル支持体１の頂部１２に対して浮いているような外観となるため見栄えをよくすることができる。また、バッフル板２をバッフル支持体１に左右両側から交互に挿入することで、両側板１０，１１それぞれの外面に当接するストッパー２１の数を均等にし、ストッパー２１で第一の側板１０を左側から、第二の側板１１を右側から押さえつけることができるので、両側板１０，１１が自身の有する弾性によって外側に開くのを防止することができる。
【図面の簡単な説明】
【００２２】
【図１】本発明の実施形態の照明器具用ルーバを示す図で、（ａ）は全体斜視図で、（ｂ）は一部断面図である。
【図２】同上のバッフル板の取付方法を示す図で、（ａ）は前側から見た図で、（ｂ）は上側から見た図である。
【図３】同上の器具本体に取り付けた状態を示す図で、（ａ）は右側から見た図で、（ｂ）は一部透視図である。
【図４】従来の照明器具用ルーバを示す全体斜視図である。
【符号の説明】
【００２３】
１  バッフル支持体
１０  第一の側板
１１  第二の側板
１２  頂部
２  バッフル板
２０  かしめ片
３  切り溝
【図１】
2008041569.tif 000003
【図２】
2008041569.tif 000004
【図３】
2008041569.tif 000005
【図４】
2008041569.tif 000006